(57)【要約】【課題】本発明の目的は、ファインダを覗いた状態におけるユーザのタッチ操作の操作性を向上させることである。【解決手段】本発明の撮像装置は、ファインダの外にあるタッチパネルへのタッチ操作を検出可能なタッチ検出手段と、タッチパネルの位置を、本体部に対して、少なくとも第１の位置と、第１の位置よりもファインダから離れた位置である第２の位置とへと変更可能な変更手段と、ファインダを介して視認可能なファインダ内表示部にアイテムが表示されている際に、タッチパネルが第１の位置である場合には、タッチ位置の移動に応じた分、タッチの開始がされる前にアイテムの表示されていた位置からアイテムを移動し、タッチパネルが第２の位置である場合には、タッチの開始位置に応じたファインダ内表示部の位置にアイテムを表示するように制御する制御手段と、を有することを特徴とする。【選択図】図４
2018191221.tif 000002
【特許請求の範囲】
【請求項１】
ファインダの外にあるタッチパネルへのタッチ操作を検出可能なタッチ検出手段と、
前記タッチパネルの位置を、本体部に対して、少なくとも第１の位置と、前記第１の位置よりも前記ファインダから離れた位置である第２の位置とへと変更可能な変更手段と、
前記ファインダを介して視認可能なファインダ内表示部にアイテムが表示されている際に、前記タッチパネルが前記第１の位置である場合には、前記タッチパネルへのタッチの開始がされても、前記タッチの開始された位置に対応する前記ファインダ内表示部の位置に前記アイテムを表示せず、タッチ位置が移動したことに応じてタッチ位置の移動に応じた分、前記タッチの開始がされる前に前記アイテムの表示されていた位置から前記アイテムを移動し、
前記タッチパネルが前記第２の位置である場合には、前記タッチパネルへのタッチの開始がされたことに応じて、前記タッチの開始位置に応じた前記ファインダ内表示部の位置に前記アイテムを表示するように制御する制御手段と、を有することを特徴とする撮像装置。
【請求項２】
前記タッチパネルが前記第１の位置にある場合、及び、前記タッチパネルが前記第２の位置にある場合には、前記タッチパネルのタッチ面の向く方向は共に前記撮像装置の背面の向く方向と同じ方向であることを特徴とする請求項１に記載の撮像装置。
【請求項３】
前記第１の位置は、前記タッチパネルが前記撮像装置に収納された状態の位置であることを特徴とする請求項１又は２に記載の撮像装置。
【請求項４】
前記第２の位置は、前記タッチパネルが前記撮像装置に収納されておらず、開いた状態の位置であることを特徴とする請求項１乃至３のいずれか１項に記載の撮像装置。
【請求項５】
前記アイテムの表示位置に基づいて所定の処理を行う処理手段を更に有することを特徴とする請求項１乃至４のいずれか１項に記載の撮像装置。
【請求項６】
前記アイテムは、ＡＦ位置を示すアイテムであることを特徴とする請求項１乃至５のいずれか１項に記載の撮像装置。
【請求項７】
前記制御手段は、前記タッチパネルが前記第１の位置にある場合の前記タッチパネルのタッチ操作が可能な領域よりも、前記第２の位置にある場合の前記タッチパネルのタッチ操作が可能な領域の方を、広くするように制御することを特徴とする請求項１乃至６のいずれか１項に記載の撮像装置。
【請求項８】
前記制御手段は、
前記タッチパネルが前記第２の位置であり、かつ、前記撮像装置の姿勢が縦姿勢である場合、前記タッチパネルへのタッチの開始がされても、前記タッチの開始された位置に対応する前記ファインダ内表示部の位置に前記アイテムを表示せず、タッチ位置が移動したことに応じてタッチ位置の移動に応じた分、前記タッチの開始がされる前に前記アイテムの表示されていた位置から前記アイテムを移動し、
前記タッチパネルが前記第２の位置であり、かつ、前記撮像装置の姿勢が横姿勢である場合、前記タッチパネルへのタッチの開始がされたことに応じて、前記タッチの開始位置に応じた前記ファインダ内表示部の位置に前記アイテムを表示するように制御することを特徴とする請求項１乃至７のいずれか１項に記載の撮像装置。
【請求項９】
前記アイテムの表示先をファインダ内表示部と前記タッチパネルと一体となる表示部とで切替可能な切替手段をさらに有することを特徴とする請求項１乃至８のいずれか１項に記載の撮像装置。
【請求項１０】
前記制御手段は、前記表示部に前記アイテムが表示されている際には、前記タッチパネルが前記第１の位置でも前記第２の位置でも、タッチの開始位置に応じた前記表示部の位置に前記アイテムを表示するように制御することを特徴とする請求項９に記載の撮像装置。
【請求項１１】
前記制御手段は、前記ファインダ内表示部に前記アイテムが表示されている際に、前記タッチパネルが前記第１の位置である場合には、前記タッチパネルへのタッチの開始がされても、前記タッチの開始された位置に対応する位置に前記アイテムを表示せず、タッチ位置が移動したことに応じてタッチ位置の移動に応じた分、前記タッチの開始がされる前に前記アイテムの表示されていた位置から前記アイテムを移動し、
前記タッチパネルが前記第２の位置である場合には、前記タッチパネルへのタッチの開始がされたことに応じて、前記タッチの開始位置に応じた位置に前記アイテムを表示するように制御することを特徴とする請求項１０に記載の撮像装置。
【請求項１２】
前記ファインダへ物体が接近したことを検出する接近検出手段をさらに有し、
前記切替手段は、前記接近検出手段が前記ファインダへ物体が接近したことを検出したことに応じて前記ファインダ内表示部に前記アイテムを表示するように制御することを特徴とする請求項９乃至１１のいずれか１項に記載の撮像装置。
【請求項１３】
前記切替手段は、撮像部で取得したスルー画像の表示先を切り替え可能であることを特徴とする請求項９乃至１２のいずれか１項に記載の撮像装置。
【請求項１４】
タッチパネルの位置を、本体部に対して、少なくとも第１の位置と、前記第１の位置よりもファインダから離れた位置である第２の位置とへと変更可能な変更手段を有する撮像装置の制御方法であって、
前記ファインダの外にある前記タッチパネルへのタッチ操作を検出可能なタッチ検出ステップと、
前記ファインダを介して視認可能なファインダ内表示部にアイテムが表示されている際に、前記タッチパネルが前記第１の位置である場合には、前記タッチパネルへのタッチの開始がされても、前記タッチの開始された位置に対応する前記ファインダ内表示部の位置に前記アイテムを表示せず、タッチ位置が移動したことに応じてタッチ位置の移動に応じた分、前記タッチの開始がされる前に前記アイテムの表示されていた位置から前記アイテムを移動し、
前記タッチパネルが前記第２の位置である場合には、前記タッチパネルへのタッチの開始がされたことに応じて、前記タッチの開始位置に応じた前記ファインダ内表示部の位置に前記アイテムを表示するように制御する制御ステップと、を有することを特徴とする撮像装置の制御方法。
【請求項１５】
コンピュータを、請求項１乃至１３のいずれか１項に記載された撮像装置の各手段として機能させるためのプログラム。
【請求項１６】
コンピュータを、請求項１乃至１３のいずれか１項に記載された撮像装置の各手段として機能させるためのプログラムを記録したコンピュータが読み取り可能な記録媒体。
【発明の詳細な説明】
【技術分野】
【０００１】
本発明は、撮像装置、およびその制御方法に関し、特にタッチ操作に応じてアイテムの表示位置を変更する技術に関する。
【背景技術】
【０００２】
従来より、ファインダを覗きながら、カメラの背面にあるタッチパネルを操作することによりＡＦ位置や露出補正等の設定値を変更可能な撮像装置が知られている。
特許文献１には、ユーザがファインダを覗いている場合には、ファーストタッチがされるとファインダ用モニタの中央にＡＦターゲット枠を表示し、タッチの移動がされるとＡＦターゲット枠を移動することが開示されている。また、特許文献１には、ファインダを覗いていない場合には、ファーストタッチがされた位置にＡＦターゲット枠を表示することが開示されている。また、ユーザのユースケースに合わせてカメラに対するタッチパネルの位置を変更することができるカメラがある。特許文献２には、タッチパネルが操作できる状態でタッチパネルをカメラ本体に収納した状態や、タッチパネルが操作できる状態でタッチパネルをカメラ本体から開いた状態等にタッチパネルの位置を変更できることが開示されている。
【先行技術文献】
【特許文献】
【０００３】
【特許文献１】特開２０１２−２０３１４３号公報
【特許文献２】特開２０１３−２００８４１号公報
【発明の概要】
【発明が解決しようとする課題】
【０００４】
特許文献１の方法では、ユーザがファインダを覗いている場合には、ＡＦターゲット枠は、タッチ位置の移動量に応じてＡＦターゲット枠が移動する。よって、選択したい位置が現在のＡＦターゲット枠の位置から離れるほど必要なタッチ位置の移動距離が大きくなってしまう。そこで、ファインダを覗いている場合にも、タッチ位置にＡＦターゲット枠を移動する方法が考えられる。しかし、特許文献２に記載のタッチパネルをカメラ本体に収納した状態では、ファインダを覗くユーザの鼻等の顔の一部がモニタに触れると、その位置にＡＦターゲット枠が移動し、ユーザの意図しない位置にＡＦターゲット枠が移動してしまう可能性がある。
【０００５】
本発明の目的は、ファインダを覗いた状態におけるユーザのタッチ操作の操作性を向上させることである。
【課題を解決するための手段】
【０００６】
本発明の撮像装置は、ファインダの外にあるタッチパネルへのタッチ操作を検出可能なタッチ検出手段と、前記タッチパネルの位置を、本体部に対して、少なくとも第１の位置と、前記第１の位置よりも前記ファインダから離れた位置である第２の位置とへと変更可能な変更手段と、前記ファインダを介して視認可能なファインダ内表示部にアイテムが表示されている際に、前記タッチパネルが前記第１の位置である場合には、前記タッチパネルへのタッチの開始がされても、前記タッチの開始された位置に対応する前記ファインダ内表示部の位置に前記アイテムを表示せず、タッチ位置が移動したことに応じてタッチ位置の移動に応じた分、前記タッチの開始がされる前に前記アイテムの表示されていた位置から前記アイテムを移動し、前記タッチパネルが前記第２の位置である場合には、前記タッチパネルへのタッチの開始がされたことに応じて、前記タッチの開始位置に応じた前記ファインダ内表示部の位置に前記アイテムを表示するように制御する制御手段と、を有することを特徴とする。
【発明の効果】
【０００７】
本発明によれば、ファインダを覗いた状態におけるユーザのタッチ操作の操作性を向上させることができる。
【図面の簡単な説明】
【０００８】
【図１】デジタルカメラの外観の一例を示す図である。
【図２】デジタルカメラの構成の一例を示す図である。
【図３Ａ】横姿勢で表示部が閉じたデジタルカメラの状態の一例を示す図である。
【図３Ｂ】横姿勢で表示部が開いたデジタルカメラの状態の一例を示す図である。
【図３Ｃ】縦姿勢で表示部が開いたデジタルカメラの状態の一例を示す図である。
【図３Ｄ】縦姿勢で表示部が開いたデジタルカメラの状態の一例を示す図である。
【図３Ｅ】ユーザが接眼ファインダを覗いていないときのデジタルカメラの状態の一例を示す図である。
【図４】撮影処理の一例を示すフローチャートである。
【発明を実施するための形態】
【０００９】
（実施形態１）
以下、図面を参照して本発明の好適な実施形態を説明する。
図１（ａ）、（ｂ）に撮像装置の一例であるデジタルカメラ１００の外観図を示す。図１（ａ）はデジタルカメラ１００の前面斜視図であり、図１（ｂ）はデジタルカメラ１００の背面斜視図である。
図１（ａ）、（ｂ）において、表示部１２８は、画像や各種情報を表示する表示部であり、デジタルカメラ１００の背面モニタである。
本体部１１０は、デジタルカメラ１００の筐体である。
レンズユニット１５０は、交換可能なレンズ２０３を搭載するレンズユニットである。
シャッターボタン１６１は、撮影指示を行うための操作部である。
モード切替スイッチ１６０は、各種モードを切り替えるための操作部である。
【００１０】
メイン電子ダイヤル１７１は、回転操作部材であり、ユーザがメイン電子ダイヤル１７１を回すことで、シャッター速度や絞り等の設定値の変更等が行われる。
電源スイッチ１７２は、デジタルカメラ１００の電源のＯＮ及びＯＦＦを切り替える操作部材である。
サブ電子ダイヤル１７３は、選択枠の移動や画像送り等を行う回転操作部材である。
十字キー１７４は、上、下、左、右部分をそれぞれ押し込み可能な４方向キーである。十字キー１７４の押された部分に応じた操作が可能である。
ＳＥＴボタン１７５は、主に選択項目の決定等に用いられる押しボタンである。
ヒンジ１７８ａは、パネル部１７８の位置を変更可能なヒンジである。
タッチパネル１７０ａは、表示部１２８に対する接触を検知可能であり、表示部１２８と一体的に構成される。
【００１１】
再生ボタン１７９は、撮影モードと再生モードとを切り替える操作ボタンである。デジタルカメラ１００は、撮影モード中に再生ボタン１７９が押下されることで再生モードに移行し、記録媒体２００に記録された画像のうち最新の画像を表示部１２８に表示させることができる。
シャッターボタン１６１、メイン電子ダイヤル１７１、電源スイッチ１７２、サブ電子ダイヤル１７３、十字キー１７４、ＳＥＴボタン１７５は、操作部１７０に含まれる。
【００１２】
接眼ファインダ１１６は、フォーカシングスクリーン２１３を観察することで、レンズユニット１５０を通して得た被写体の光学像の焦点や構図の確認を行うための覗き込み型のファインダである。
ファインダ内表示部１７６は、画像や各種情報を表示する表示部であり、ユーザが接眼ファインダ１１６を覗くことで、ユーザは接眼ファインダ１１６を介して視認可能であり、ファインダ内表示部１７６に写された画像や各種情報を参照できる。
【００１３】
近接センサ１７７は、ユーザの接眼ファインダ１１６への接眼を検出する。システム制御部２５０は、近接センサ１７７の検出値に基づいて、ファインダへの接眼状態であるか否かを判定できる。ユーザが接眼ファインダ１１６に接近していると判定された場合は、ミラーをダウンし、ファインダを介して被写体の光学像が視認可能にする。このとき、ＡＦ枠等の表示は、光学像と重畳して視認可能なようにファインダ内表示部１７６に表示される。近接センサ１７７は、接眼ファインダ１１６へ物体が接近したことを検出する接近検出手段の一例である。
【００１４】
接眼ファインダ１１６に接近していないと判定された場合は、ミラーをアップし、撮像部が撮像した撮像画像をスルー画像（ライブビュー画像）として表示部１２８に表示するようにする。このとき、ＡＦ枠等の表示は、スルー画像と共に表示部１２８に表示される。
なお、システム制御部２５０は、ユーザによる操作部１７０を介した表示切替操作に基づいて、スルー画像の表示をするか否かを切り替えてもよい。より具体的には、システム制御部２５０は、操作部１７０に対する操作に基づいて、表示部１２８にスルー画像を表示する（ミラーアップ）ことと、接眼ファインダ１１６を介して光学像が視認可能（ミラーダウン）にすることとを切り替えるようにしてもよい。このように、システム制御部２５０は、ＡＦ枠やスルー画像の表示先を、ファインダ内表示部１７６と表示部１２８とで切替可能であってもよい。
なお、接眼ファインダ１１６は光学ファインダでなくても電子ビューファインダでもよい。その場合、システム制御部２５０は、近接センサ１７７の検知結果により、スルー画像の表示先を切り替える。
【００１５】
図２は、本実施形態におけるデジタルカメラ１００の構成例を示す図である。
レンズユニット１５０は、上記の通り、交換可能なレンズ２０３を搭載するレンズユニットである。レンズユニット１５０に搭載されるレンズ２０３は通常、複数枚のレンズから構成されるが、ここでは簡略して一枚のレンズのみで示している。
ＡＥセンサ２１７は、レンズユニット１５０、クイックリターンミラー２１２を通しフォーカシングスクリーン２１３上に結像した被写体の輝度を測光する。
焦点検出部２１１は、クイックリターンミラー２１２及びサブミラーを介して入射する像を撮像し、システム制御部２５０にデフォーカス量情報を出力する位相差検出方式のＡＦ（オートフォーカス）センサである。システム制御部２５０は、焦点検出部２１１が出力したデフォーカス量情報に基づいてレンズユニット１５０を制御し、位相差ＡＦを行う。
【００１６】
クイックリターンミラー２１２は、露光、ライブビュー撮影、動画撮影の際にシステム制御部２５０から指示されて、アクチュエータによりアップダウンされる。クイックリターンミラー２１２は、レンズ２０３から入射した光束を接眼ファインダ１１６側と撮像部２２２側とに切替えるためのミラーである。クイックリターンミラー２１２は、通常時は接眼ファインダ１１６へと光束を導くよう反射させるように配されている。しかし、クイックリターンミラー２１２は、撮影が行われる場合やライブビュー表示の場合には、撮像部２２２へと光束を導くように上方に跳ね上がり光束中から待避する（ミラーアップ）。また、クイックリターンミラー２１２は、その中央部が光の一部を透過できるようにハーフミラーとなっており、光束の一部を、焦点検出を行うための焦点検出部２１１に入射するように透過させる。
【００１７】
ユーザは、ペンタプリズム２１４と接眼ファインダ１１６とを介して、フォーカシングスクリーン２１３上に結像した像を観察することで、レンズユニット１５０を通して得た被写体の光学像の焦点状態や構図の確認が可能となる。
本実施形態の接眼ファインダ１１６は、光学ファインダ（ＯＶＦ）であるが、電子ビューファインダ（ＥＶＦ）でもよい。
フォーカルプレーンシャッター２０１は、システム制御部２５０の制御に基づいて撮像部２２２の露光時間を制御する。
撮像部２２２は、光学像を電気信号に変換するＣＣＤやＣＭＯＳ素子等で構成される撮像素子である。
Ａ／Ｄ変換器２２３は、撮像部２２２によって電気信号に変換されたアナログ信号をデジタル信号に変換する。
【００１８】
画像処理部２２４は、Ａ／Ｄ変換器２２３からのデータ、又は、メモリ制御部２１５からのデータに対し所定の画素補間、縮小といったリサイズ処理や色変換処理を行う。また、画像処理部２２４は、撮像した画像データを用いて所定の演算処理を行い、得られた演算結果に基づいてシステム制御部２５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２２４は、更に、撮像した画像データを用いて所定の演算処理を行い、得られた演算結果に基づいてＴＴＬ方式のＡＷＢ（オートホワイトバランス）処理も行っている。
【００１９】
Ａ／Ｄ変換器２２３からの出力データは、画像処理部２２４及びメモリ制御部２１５を介して、又は、メモリ制御部２１５を介してメモリ２３２に直接書き込まれる。
メモリ２３２は、撮像部２２２によって得られＡ／Ｄ変換器２２３によりデジタルデータに変換された画像データや、表示部１２８に表示するための画像データを格納する。メモリ２３２は、所定枚数の静止画像や所定時間の動画像及び音声を格納するのに十分な記憶容量を備えている。また、メモリ２３２は画像表示用のメモリ（ビデオメモリ）を兼ねている。
【００２０】
Ｄ／Ａ変換器２１９は、メモリ２３２に格納されている画像表示用のデータをアナログ信号に変換して表示部１２８に供給する。こうして、メモリ２３２に書き込まれた表示用の画像データはＤ／Ａ変換器２１９を介して表示部１２８により表示される。表示部１２８は、ＬＣＤ等の表示器上に、Ｄ／Ａ変換器２１９からのアナログ信号に応じた表示を行う。Ａ／Ｄ変換器２２３によって一度Ａ／Ｄ変換されメモリ２３２に蓄積されたデジタル信号はＤ／Ａ変換器２１９においてアナログ変換され、表示部１２８に逐次転送され表示される。このことで、電子ビューファインダとして機能する。このため、デジタルカメラ１００は、スルー画像表示（ライブビュー表示）を行える。
【００２１】
不揮発性メモリ２５６は、システム制御部２５０によって電気的に消去・記録可能なメモリであって、例えばＥＥＰＲＯＭ等が用いられる。不揮発性メモリ２５６には、システム制御部２５０の動作用の定数、プログラム等が記憶される。不揮発性メモリ２５６は、記録媒体の一例である。
システム制御部２５０は、少なくとも１つのプロセッサーを内蔵し、デジタルカメラ１００全体を制御する。システム制御部２５０が不揮発性メモリ２５６に記録されたプログラムをシステムメモリ２５２に展開して実行することで、図４のフローチャートの処理が実現される。また、システム制御部２５０は、メモリ２３２、Ｄ／Ａ変換器２１９、表示部１２８等を制御することにより表示制御も行う。
システムメモリ２５２には、ＲＡＭが用いられる。システムメモリ２５２には、システム制御部２５０の動作用の定数、変数、不揮発性メモリ２５６から読み出したプログラム等が展開される。
【００２２】
パネル位置検知センサ２２０は、例えば磁界を検出するホール素子と磁石とを備える、タッチパネル１７０ａと表示部１２８のあるパネル部１７８の位置を検知可能なセンサである。磁石は開閉可能なタッチパネル１７０ａ側に備えられ、ホール素子のセンサはデジタルカメラ１００のタッチパネル１７０ａの収納位置に備えられている。この両者の距離に応じて変化するホール素子の出力に応じて、システム制御部２５０がタッチパネル１７０ａの開閉状態、すなわち、デジタルカメラ１００の本体に収納されているかの判定を行うことができる。また、パネル位置検知センサ２２０は、パネル部１７８の向く方向（表示部１２８の表示方向及びタッチパネル１７０ａのタッチ面の方向）を検知可能である。パネル部１７８が収納されており、パネル部１７８の向く方向が背面側である場合には、表示部１２８の表示は視認できず、またタッチパネル１７０ａへのタッチ操作も行うことができない。しかし、パネル部１７８が収納されていても、背面の方向と同じ方向（背面と表示面とが向き合っていない）である場合には、表示部１２８の表示は視認可能であるし、さらにタッチパネル１７０ａへのタッチ操作も可能である。
姿勢検知センサ２２１は、例えばデジタルカメラ１００内に加速度センサを備える。そして、デジタルカメラ１００の本体部１１０の姿勢が横姿勢であるか、縦姿勢であるかによって変化する加速度センサからの出力に応じて、システム制御部２５０が縦横の判定を行う。横姿勢は、被写体の上下方向が、デジタルカメラ１００により撮影された画像の短辺方向と略一致するような姿勢である。縦姿勢は、被写体の上下方向が、デジタルカメラ１００により撮影された画像の長辺方向と略一致するような姿勢である。
【００２３】
モード切替スイッチ１６０、シャッターボタン１６１、操作部１７０は、システム制御部２５０に各種の動作指示を入力するための操作手段である。モード切替スイッチ１６０は、システム制御部２５０の動作モードを、静止画記録モード、動画撮影モード、再生モード等のいずれかに切り替えるためのスイッチである。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ１６０で、メニュー画面に含まれるこれらのモードのいずれかに直接切り替えられる。あるいは、モード切替スイッチ１６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００２４】
第１シャッタースイッチ２６２は、デジタルカメラ１００に設けられたシャッターボタン１６１の操作途中、いわゆる半押し（撮影準備指示）でＯＮとなり第１シャッタースイッチ信号ＳＷ１を発生する。第１シャッタースイッチ信号ＳＷ１により、ＡＦ処理、ＡＥ処理、ＡＷＢ処理、ＥＦ（フラッシュプリ発光）処理等の動作が開始される。
第２シャッタースイッチ２６４は、シャッターボタン１６１の操作完了、いわゆる全押し（撮影指示）でＯＮとなり、第２シャッタースイッチ信号ＳＷ２を発生する。システム制御部２５０は、第２シャッタースイッチ信号ＳＷ２により、撮像部２２２からの信号読み出しから記録媒体２００に画像データを書き込むまでの一連の撮影処理の動作を開始する。
【００２５】
操作部１７０の各操作部材は、表示部１２８に表示される種々の機能アイコンを選択操作すること等により、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１２８に表示される。ユーザは、表示部１２８に表示されたメニュー画面と、十字キー１７４やＳＥＴボタン１７５とを用いて直感的に各種設定を行うことができる。
【００２６】
操作部１７０は、ユーザからの操作を受け付ける入力部としての各種操作部材である。操作部１７０には、少なくともシャッターボタン１６１、メイン電子ダイヤル１７１、電源スイッチ１７２、サブ電子ダイヤル１７３、十字キー１７４、ＳＥＴボタン１７５が含まれる。
電源制御部２８０は、電池検出回路、ＤＣ−ＤＣコンバータ、通電するブロックを切り替えるスイッチ回路等により構成され、電池の装着の有無、電池の種類、電池残量の検出を行う。また、電源制御部２８０は、その検出結果及びシステム制御部２５０の指示に基づいてＤＣ−ＤＣコンバータを制御し、必要な電圧を必要な期間、記録媒体２００を含む各部へ供給する。
【００２７】
電源部２３０は、アルカリ電池やリチウム電池等の一次電池やＮｉＣｄ電池やＮｉＭＨ電池、Ｌｉ電池等の二次電池、ＡＣアダプター等からなる。
記録媒体Ｉ／Ｆ２１８は、メモリカードやハードディスク等の記録媒体２００とのインターフェースである。
記録媒体２００は、撮影された画像を記録するためのメモリカード等の記録媒体であり、半導体メモリや磁気ディスク等から構成される。
【００２８】
既に説明したように、タッチパネル１７０ａと表示部１２８とは一体的に構成される。例えば、タッチパネル１７０ａを光の透過率が表示部１２８の表示を妨げないように構成し、タッチパネル１７０ａを表示部１２８の表示面の上層に取り付ける。そして、タッチパネル１７０ａにおける入力座標と、表示部１２８上の表示座標とを対応付ける。これにより、あたかもユーザが表示部１２８上に表示された画面を直接的に操作可能であるかのようなＧＵＩ（グラフィカルユーザーインターフェース）を構成することができる。このように、タッチ操作が行われた位置と表示部１２８の位置とを対応づけて指示を受け付ける設定を絶対座標設定という。
また、絶対座標設定とは異なる次の設定を相対座標設定という。相対座標設定は、表示部１２８の所定の位置から、タッチ位置座標ではなく、タッチ操作の移動量（移動方向も）に応じた分、もともと表示されていた位置から移動した位置（移動操作に応じた量移動した位置）への指示を受け付ける設定である。
【００２９】
ユーザがファインダ内表示部１７６を見ながら操作をする場合には、絶対座標設定でタッチ操作をすると、タッチパネル１７０ａ（表示部１２８）を見ないでタッチすることになる。このため、ユーザは所望の位置からずれた位置に誤ってタッチ操作をしてしまう可能性が高い。一方で、相対座標設定でタッチ操作をすると、タッチ操作の位置ではなく移動量で移動指示をするので、ファインダ内表示部１７６に表示される操作対象の位置を見ながら所望の位置まで移動する操作をすれば所望の位置への指示をすることができる。表示部１２８に画像を表示しないが、タッチパネル１７０ａがタッチ操作を受け付ける機能をタッチパッド機能と称する。
【００３０】
システム制御部２５０は、タッチパネル１７０ａへの以下の操作、あるいは状態を検出可能である。
第１に、システム制御部２５０は、タッチパネル１７０ａにタッチしていなかった指やペンが新たにタッチパネル１７０ａにタッチしたこと、すなわち、タッチの開始（以下、タッチダウン（Ｔｏｕｃｈ−Ｄｏｗｎ）と称する）を検出できる。
第２に、システム制御部２５０は、タッチパネル１７０ａを指やペンでタッチしている状態であること（以下、タッチオン（Ｔｏｕｃｈ−Ｏｎ）と称する）を検出できる。
第３に、システム制御部２５０は、タッチパネル１７０ａを指やペンでタッチしたまま移動していること（以下、タッチムーブ（Ｔｏｕｃｈ−Ｍｏｖｅ）と称する）を検出できる。
第４に、システム制御部２５０は、タッチパネル１７０ａへタッチしていた指やペンを離したこと、すなわち、タッチの終了（以下、タッチアップ（Ｔｏｕｃｈ−Ｕｐ）と称する）を検出できる。
第５に、システム制御部２５０は、タッチパネル１７０ａに何もタッチしていない状態（以下、タッチオフ（Ｔｏｕｃｈ−Ｏｆｆ）と称する）を検出できる。
【００３１】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３２】
これらの操作・状態や、タッチパネル１７０ａ上に指やペンがタッチしている位置座標は内部バスを通じてシステム制御部２５０に通知される。システム制御部２５０は、通知された情報に基づいてタッチパネル１７０ａ上にどのような操作が行なわれたかを判定する。システム制御部２５０は、タッチムーブについてはタッチパネル１７０ａ上で移動する指やペンの移動方向についても、位置座標の変化に基づいて、タッチパネル１７０ａ上の垂直成分・水平成分ごとに判定できる。
また、タッチパネル１７０ａ上をタッチダウンから一定のタッチムーブを経てタッチアップをしたとき、ストロークを描いたこととする。素早くストロークを描く操作をフリックと呼ぶ。フリックは、タッチパネル１７０ａ上に指をタッチしたままある程度の距離だけ素早く動かして、そのまま離すといった操作であり、言い換えればタッチパネル１７０ａ上を指ではじくように素早くなぞる操作である。システム制御部２５０は、所定距離以上を、所定速度以上でタッチムーブしたことを検出し、そのままタッチアップを検出するとフリックが行なわれたと判定できる。また、システム制御部２５０は、所定距離以上を、所定速度未満でタッチムーブしたことを検出した場合は、ドラッグが行なわれたと判定する。タッチパネル１７０ａに対する操作やタッチパネル１７０ａの状態を検出する処理は、タッチ検出手段による処理の一例である。
【００３３】
タッチパネル１７０ａには、抵抗膜方式や静電容量方式、表面弾性波方式、赤外線方式、電磁誘導方式、画像認識方式、光センサ方式等、様々な方式のうちいずれの方式のものを用いてもよい。方式によって、タッチパネル１７０ａに対する接触があったことでタッチがあったと検出する方式や、タッチパネル１７０ａに対する指やペンの接近があったことでタッチがあったと検出する方式ものがあるが、いずれの方式でもよい。
【００３４】
以下、本実施形態における表示部１２８の開閉状態におけるユーザのタッチ操作に応じたＡＦ枠の表示制御について図３Ａ〜３Ｅ、図４を参照して説明する。
図３Ａ〜図３Ｄは、表示部１２８にスルー画像（ライブビュー画像）が表示されておらず、接眼ファインダ１１６を介して被写体の光学像が視認可能であり、ファインダ内表示部１７６にＡＦ枠の表示が表示されている状態である。また、デジタルカメラ１００の背面の向く方向と、タッチパネル１７０ａのタッチ面の方向とが同じ方向であり、背面側にいるユーザからタッチパネル１７０ａへのタッチ操作が可能である。ただし、表示先はファインダ内表示部１７６である。
図３Ａは、デジタルカメラ１００の姿勢が横姿勢であり、表示部１２８は閉じた状態を示す図である。表示部１２８が閉じた状態とは、表示部１２８が本体部１１０に収納されており、デジタルカメラ１００の背面から見たとき、表示部１２８が本体部１１０と重なる状態である。表示部１２８が閉じた状態のとき、表示部１２８の表示面、及び、タッチパネル１７０ａのタッチ可能な面が、デジタルカメラ１００の背面方向側であるユーザ側を向く。このため、ユーザは、表示部１２８の表示の参照、及び、タッチパネル１７０ａに対するタッチ操作が可能である。そして、表示部１２８、及び、タッチパネル１７０ａと、ファインダ内表示部１７６とは縦に並ぶ。縦は、デジタルカメラ１００を背面から見たときに、デジタルカメラ１００における上下方向である。タッチパネル１７０ａおよび表示部１２８のＸ軸、Ｙ軸方向は、図３Ａに示すように、背面からみて右方向をＸ軸プラス方向、下方向をＹ軸プラス方向とする。
【００３５】
図３Ｂは、デジタルカメラ１００の横姿勢であり、表示部１２８がデジタルカメラ１００に収納されておらず開いた状態を示す図である。表示部１２８が開いた状態とは、表示部１２８が、ヒンジ１７８ａを挟んで、デジタルカメラ１００の本体部１１０と並んだ状態である。図３Ｂに示すように、表示部１２８が開いた状態のときは、本体部１１０から見て表示部１２８がデジタルカメラ１００において横に開いた状態である。横は、デジタルカメラ１００を背面から見たときに、デジタルカメラ１００における上下方向と垂直な方向である。表示部１２８が開いた状態のとき、表示部１２８が閉じた状態と比べて、タッチパネル１７０ａは、接眼ファインダ１１６から離れた位置となる。つまり、接眼ファインダ１１６を覗いているユーザの顔が図３Ａのときよりも当たりにくい。また、表示部１２８が開いた状態のタッチパネル１７０ａの位置は、表示部１２８が閉じた状態のタッチパネル１７０ａの位置を基準としたとき、操作部１７０とは反対側の位置となる。また、表示部１２８の表示面、及び、タッチパネル１７０ａのタッチ可能な面が、デジタルカメラ１００の背面方向側であるユーザ側を向く。このため、ユーザは、表示部１２８の表示の参照、及び、タッチパネル１７０ａに対するタッチ操作が可能である。
【００３６】
図３Ｃは、デジタルカメラ１００の姿勢は縦姿勢であり、表示部１２８は、デジタルカメラ１００に収納されておらず開いた状態である。このとき、デジタルカメラ１００は縦姿勢であり、表示部１２８は図３Ｃに示すように下方向に開く。表示部１２８の表示面、及び、タッチパネル１７０ａのタッチ可能な面が、デジタルカメラ１００の背面方向側であるユーザ側を向く。このため、ユーザは、表示部１２８の表示の参照、及び、タッチパネル１７０ａに対するタッチ操作が可能である。
【００３７】
図３Ｄは、デジタルカメラ１００の姿勢は縦姿勢であり、表示部１２８は、デジタルカメラ１００に収納されておらず開いた状態である。このとき、デジタルカメラ１００は縦姿勢であり、表示部１２８は図３Ｄに示すように上方向に開く。
表示部１２８の表示面、及び、タッチパネル１７０ａのタッチ可能な面が、デジタルカメラ１００の背面方向側であるユーザ側を向く。このため、ユーザは、表示部１２８の表示の参照、及び、タッチパネル１７０ａに対するタッチ操作が可能である。
図３Ｅは、ユーザが接眼ファインダ１１６を覗いていない状態を示す図である。
【００３８】
次に、図４の撮影処理のフローチャートについて説明する。図４のフローチャートの説明では、表示部１２８の開閉状態、デジタルカメラ１００の姿勢に応じてタッチ操作の「相対位置操作」及び「絶対位置操作」の制御を自動的に切り替える「相対位置、絶対位置操作自動切り替え」設定の場合について説明する。「相対位置操作」では、システム制御部２５０は相対位置制御を行う。「絶対位置操作」では、システム制御部２５０は絶対位置制御を行う。
【００３９】
Ｓ４０１において、システム制御部２５０は、電源スイッチ１７２からの信号に基づいて、ユーザがデジタルカメラの電源をＯＮにする操作を行ったか否かを判定する。システム制御部２５０は、ユーザがデジタルカメラの電源をＯＮにする操作を行ったとき処理をＳ４０２に進め、行っていないとき再度Ｓ４０１を実行する。
Ｓ４０２において、システム制御部２５０は、接眼ファインダ１１６に設けられた近接センサ１７７の検出値に基づいて、ファインダへの接眼状態であるか否かを判定する。ファインダへの接眼状態とは、ユーザがファインダ内表示部１７６を覗いている状態である。システム制御部２５０は、ファインダへの接眼状態のとき処理をＳ４０３に進め、ファインダへの接眼状態ではないとき処理をＳ４２２に進める。なお、Ｓ４０２においては、システム制御部２５０は、ミラーがアップ（Ｓ４０２Ｎｏ）かダウン（Ｓ４０２Ｙｅｓ）かを判定してもよい。もしくは表示部１２８にスルー画像が表示されているか（Ｓ４０２Ｎｏ）、ファインダを介して被写体の光学像が視認可能か（Ｓ４０２Ｙｅｓ）を判定してもよい。さらに、接眼ファインダ１１６が電子ビューファインダの場合には、スルー画像の表示先がファインダ内表示部であるか否かを判定してもよい。
【００４０】
Ｓ４０３において、システム制御部２５０は、モニタ駆動回路を制御し表示部１２８の表示を停止する。すなわち、システム制御部２５０は、表示部１２８をＯＦＦにする。
Ｓ４０４において、システム制御部２５０は、ファインダ内表示部１７６の表示を開始する。すなわち、システム制御部２５０は、ファインダ内表示部１７６をＯＮにする。本実施形態のデジタルカメラ１００は、光学ファインダであるため、クイックリターンミラー２１２の位置を制御し、さらにファインダ内表示部１７６をＯＮにする。デジタルカメラ１００が電子ビューファインダの場合、システム制御部２５０は、撮像部２２２を制御することによって撮像素子を駆動させる。そして、画像処理部２２４は、撮像部２２２を介して得られた画像データを処理する。システム制御部２５０は、画像処理部２２４によって処理された画像データに基づく被写体観察用の画像をファインダ内表示部１７６に表示させる。こうして、Ｓ４０４において被写体観察用の画像がファインダ内表示部１７６に表示され始める。このような画像表示により、ユーザは、ファインダ内表示部１７６を用いて被写体の観察を行うことが可能である。
【００４１】
Ｓ４０５において、システム制御部２５０は、ファインダ内表示部１７６の表示範囲内にＡＦ枠を表示する制御を行う。ＡＦ枠の表示位置は初期設定位置として表示範囲の中央に表示する。ただし、システム制御部２５０は、予め設定された位置があれば、その場所にＡＦ枠を表示してもよい。システム制御部２５０は、例えば図３Ａに示すように位置３００にＡＦ枠を表示する。
Ｓ４０６において、システム制御部２５０は、パネル位置検知センサ２２０からの出力に応じて、表示部１２８がデジタルカメラ１００に対して閉じているか開いているかを判定する。システム制御部２５０は、表示部１２８がデジタルカメラ１００に収納されており閉じていて、かつ、ユーザがタッチパネル１７０ａを操作可能な場合、処理をＳ４０７に進め、これ以外の場合、処理をＳ４１７に進める。ユーザがタッチパネル１７０ａを操作可能とは、表示部１２８の表示面がユーザの側を向いており、ユーザがタッチパネル１７０ａに対してタッチ操作が可能な状態である。Ｓ４０６において、表示部１２８が閉じていて、かつ、ユーザがタッチパネル１７０ａを操作可能な場合、デジタルカメラ１００は、例えば図３Ａに示す状態である。
【００４２】
Ｓ４０７において、システム制御部２５０は、タッチセンサ入力回路からの出力に基づいて、予め設定された期間内にタッチダウンを検出したか否かを判定する。タッチセンサ入力回路は、タッチパネル１７０ａからの信号より、タッチパネル１７０ａ上におけるユーザの指のタッチ位置座標の検出や指の動きを解析し、解析した結果をシステム制御部２５０に出力する。システム制御部２５０は、予め設定された期間内にタッチダウンを検出したとき処理をＳ４０８に進め、予め設定された期間内にタッチダウンを検出しないとき処理をＳ４１２に進める。
Ｓ４０８において、システム制御部２５０は、タッチセンサ入力回路からの出力に基づいて、タッチムーブを検出したか否かを判定する。システム制御部２５０は、タッチムーブを検出したとき処理をＳ４０９に進め、タッチムーブ以外のタッチ操作を検出したとき処理をＳ４１１に進める。タッチムーブ以外のタッチ操作とは、例えば、シングルタップ操作（タッチパネル１７０ａを１回叩く）やダブルタップ操作（タッチパネル１７０ａを２回叩く）等のタッチ操作である。このような操作を検出した場合には、ＡＦ枠の位置は変更されないので、ユーザの意図しない位置へＡＦ枠が移動したり、ユーザの意図しない位置でＡＦ処理がされたりしてしまう可能性を低減することができる。
【００４３】
Ｓ４０９において、システム制御部２５０は、タッチセンサ入力回路からの出力に基づいて、ユーザの指のタッチ位置座標、及び、タッチ位置の時間変化から、指のタップ操作、指の移動方向、及び、移動距離を検出する。こうして、システム制御部２５０は、タッチ操作の入力状態を取得する。
Ｓ４１０において、システム制御部２５０は、相対位置制御を行って、ファインダ内表示部１７６におけるＡＦ枠の表示位置を変更する。より具体的には、システム制御部２５０は、タッチ位置の移動が検出される前にＡＦ枠が表示されていた位置から、Ｓ４０９で取得した指の移動方向、及び、移動距離に対応する位置にＡＦ枠を移動させて表示する制御を行う。
【００４４】
図３Ａに示す状態の場合、デジタルカメラ１００は相対位置設定となり、システム制御部２５０は相対位置制御を行う。相対位置制御は、タッチ位置の移動が検出される前にＡＦ枠が表示されていた位置から、タッチ位置の移動した量に応じて移動した位置にＡＦ枠を移動させて表示する制御である。図３Ａに示すように、ＡＦ枠はファインダ内表示部１７６に表示される。図３Ａの例では、システム制御部２５０は、ユーザによるタッチパネル１７０ａに対するタッチムーブに基づいて、ファインダ内表示部１７６のＡＦ枠を、位置３００から位置３０１に移動させて表示する制御を行う。ＡＦ枠は、アイテムの一例であり、ＡＦ位置を表す。システム制御部２５０は、ＡＦ動作を実行するときに、ＡＦ枠が表すＡＦ位置の被写体に合焦するように制御する。
【００４５】
なお、図３Ｃ、図３Ｄに示す状態の場合には、表示部１２８はデジタルカメラ１００本体に対して開いた状態であるが、システム制御部２５０は相対位置制御を行う。これは、縦姿勢の場合には、ユーザがカメラを保持した状態でタッチ可能な領域が横姿勢の場合よりも狭まるためである。
図３Ｃに示す状態のとき、ユーザは、右手で本体部１１０におけるヒンジ１７８ａとは反対側を掴むと考えられる。そして、ユーザは、左手でデジタルカメラ１００の下側となる表示部１２８をしっかりと支えながら、左手の親指でタッチパネル１７０ａに対するタッチ操作を行うと考えられる。したがって、左手の親指は、タッチパネル１７０ａの領域の全てには届きにくく、タッチパネル１７０ａにおける本体部１１０の側の半分程度の領域である第１領域３０３程度までしか届かない。このように、図３Ｃに示す状態のときは、ユーザのタッチ操作が可能な範囲が小さくなるため、相対位置制御の方が絶対位置制御より操作性が良い。
図３Ｄに状態のとき、ユーザは、右手で、デジタルカメラ１００の下側となる、本体部１１０におけるヒンジ１７８ａとは反対側をしっかりと支えると考えられる。そして、ユーザは、左手で、デジタルカメラ１００の上側となる表示部１２８を支えながら、左手の親指でタッチパネル１７０ａに対するタッチ操作を行うと考えられる。このような場合、接眼ファインダ１１６を覗いているユーザの頭部が、タッチパネル１７０ａの下付近まできてしまう。したがって、ユーザがタッチパネル１７０ａに対するタッチ操作を行い易い領域は、第２領域３０４である。このように、図３Ｄに示す状態のときは、ユーザのタッチ操作が可能な範囲が小さくなるため、相対位置制御の方が絶対位置制御より操作性が良い。
【００４６】
Ｓ４１１において、システム制御部２５０は、タッチセンサ入力回路からの出力に基づいて、タッチアップを検出したか否かを判定する。システム制御部２５０は、タッチアップを検出したとき処理をＳ４１２に進め、タッチアップを検出していないとき処理をＳ４０８に戻す。
Ｓ４１２において、システム制御部２５０は、予め設定された期間内に、ユーザの合焦操作が行われたか否かを判定する。より具体的には、システム制御部２５０は、シャッターボタン１６１の操作によって発生する第１シャッタースイッチ信号ＳＷ１を取得したか否かを判定する。システム制御部２５０は、予め設定された期間内にユーザの合焦操作が行われた場合（第１シャッタースイッチ信号ＳＷ１を取得した場合）、処理をＳ４１３に進める。システム制御部２５０は、予め設定された期間内にユーザの合焦操作が行われていない場合（第１シャッタースイッチ信号ＳＷ１を取得しない場合）、処理をＳ４０２に戻す。
【００４７】
Ｓ４１３において、システム制御部２５０は、その時点で表示されているＡＦ枠が位置している被写体に合焦するようにＡＦ動作を実行する。
Ｓ４１４において、システム制御部２５０は、予め設定された期間内にユーザの撮影操作が行われたか否かを判定する。より具体的には、システム制御部２５０は、シャッターボタン１６１の操作によって発生する第２シャッタースイッチ信号ＳＷ２を取得したか否かを判定する。システム制御部２５０は、予め設定された期間内にユーザの撮影操作が行われた場合（第２シャッタースイッチ信号ＳＷ２を取得した場合）、処理をＳ４１５に進める。システム制御部２５０は、予め設定された期間内にユーザの撮影操作が行われていない場合（第２シャッタースイッチ信号ＳＷ２を取得しない場合）、処理をＳ４０２に戻す。
【００４８】
Ｓ４１５において、システム制御部２５０は、撮影を実行する制御を行う。
Ｓ４１６において、システム制御部２５０は、電源スイッチ１７２からの信号に基づいて、ユーザがデジタルカメラの電源をＯＦＦにする操作を行ったか否かを判定する。システム制御部２５０は、ユーザがデジタルカメラの電源をＯＦＦにする操作を行ったとき、デジタルカメラ１００の各部の終了処理を行う。そして、システム制御部２５０は、図４の処理を終了する。システム制御部２５０は、ユーザがデジタルカメラの電源をＯＦＦにする操作を行っていないとき、処理をＳ４０２に戻す。
【００４９】
Ｓ４１７において、システム制御部２５０は、姿勢検知センサ２２１からの出力に基づいて、デジタルカメラ１００が横姿勢で保持されているか、縦姿勢で保持されているかを判定する。そして、システム制御部２５０は、デジタルカメラ１００が横姿勢であり、かつ、ユーザがタッチパネル１７０ａを操作可能な場合、処理をＳ４１８に進め、これ以外の場合、処理をＳ４０７に進める。Ｓ４１７において、デジタルカメラ１００が横姿勢であり、かつ、ユーザがタッチパネル１７０ａを操作可能な場合、デジタルカメラ１００は、図３Ｂに示した状態となっている。また、Ｓ４１７においてデジタルカメラ１００が縦姿勢の場合、デジタルカメラ１００は、図３Ｃ又は、図３Ｄに示した状態となっている。
【００５０】
Ｓ４１８において、システム制御部２５０は、タッチセンサ入力回路からの出力に基づいて、タッチダウンを検出したか否かを判定する。システム制御部２５０は、タッチダウンを検出したとき処理をＳ４１９に進め、タッチダウンを検出していないとき処理をＳ４１２に進める。
Ｓ４１９において、システム制御部２５０は、絶対位置制御を行って、ファインダ内表示部１７６におけるＡＦ枠の表示位置を変更する。より具体的には、システム制御部２５０は、Ｓ４１８でタッチダウン（タッチ操作の開始）が検出されたタッチパネル１７０ａの位置に対応するファインダ内表示部１７６の位置にＡＦ枠を移動させて表示する制御を行う。既に説明した図３Ｂは、Ｓ４１９における絶対位置制御の例である。
図３Ｂに示す状態の場合、デジタルカメラ１００は絶対位置設定となり、システム制御部２５０は絶対位置制御を行う。絶対位置制御は、ファインダ内表示部１７６、及び、表示部１２８の少なくともいずれかに表示されるＡＦ枠等の位置を示すアイテムを、タッチ操作のタッチ開始位置に基づく位置に表示する制御である。絶対位置制御では、ＡＦ枠は、タッチ操作が検出される前にＡＦ枠が表示されていた位置に基づかずに、タッチ操作がされた位置に基づくファインダ内表示部１７６の位置に表示される。図３Ｂに示すように、ＡＦ枠はファインダ内表示部１７６に表示される。図３Ｂの例では、システム制御部２５０は、ユーザによるタッチパネル１７０ａに対するタッチに基づいて、ファインダ内表示部１７６のＡＦ枠を、位置３００から位置３０２に移動させて表示する制御を行う。位置３０２は、ユーザによってタッチされたタッチパネル１７０ａの位置に対応するファインダ内表示部１７６の位置である。現在のＡＦ枠の位置から離れた位置にＡＦ枠を移動したい場合に、ユーザはその位置にＡＦ枠が移動するまで何回もタッチムーブ操作をしなくても、タッチダウン操作で（すなわち、より少ない操作量で）所望の位置にＡＦ枠を移動することができる。
【００５１】
Ｓ４２０において、システム制御部２５０は、タッチセンサ入力回路からの出力に基づいて、ユーザの指のタッチ位置座標、及び、タッチ位置の時間変化から、指のタップ操作、指の移動方向、及び、移動距離を検出する。こうして、システム制御部２５０は、タッチ操作の入力状態を取得する。
Ｓ４２１において、システム制御部２５０は、タッチセンサ入力回路からの出力に基づいて、タッチアップを検出したか否かを判定する。システム制御部２５０は、タッチアップを検出したとき処理をＳ４１２に進め、タッチアップを検出していないとき再度Ｓ４１９を実行する。
【００５２】
Ｓ４２２において、システム制御部２５０は、ファインダ内表示部１７６の表示を停止する。すなわち、システム制御部２５０は、ファインダ内表示部１７６をＯＦＦにする。
Ｓ４２３において、システム制御部２５０は、モニタ駆動回路を制御し表示部１２８の表示を開始する。すなわち、システム制御部２５０は、表示部１２８をＯＮにする。この際、システム制御部２５０は、被写体観察用の画像を表示部１２８に表示して、スルー画像表示を行う。
Ｓ４２４において、システム制御部２５０は、表示部１２８の表示範囲にＡＦ枠を表示する制御を行う。ＡＦ枠の表示位置は初期設定位置として表示範囲の中央に表示する。ただし、システム制御部２５０は、予め設定された位置があれば、その場所にＡＦ枠を表示してもよい。
【００５３】
Ｓ４２５において、システム制御部２５０は、タッチセンサ入力回路からの出力に基づいて、タッチダウンを検出したか否かを判定する。システム制御部２５０は、タッチダウンを検出したとき処理をＳ４２６に進め、タッチダウンを検出していないとき処理をＳ４１２に進める。
Ｓ４２６において、システム制御部２５０は、絶対位置制御を行って、表示部１２８におけるＡＦ枠の表示位置を変更する。より具体的には、システム制御部２５０は、Ｓ４２５でタッチダウンが検出されたタッチパネル１７０ａに対応する表示部１２８の位置にＡＦ枠を移動させて表示する制御を行う。このとき、システム制御部２５０は、絶対位置制御を行う。
図３Ｅの例では、ユーザによるタッチパネル１７０ａに対するタッチに基づいて、システム制御部２５０は、表示部１２８のＡＦ枠を、位置３００から位置３０５に移動させて表示する制御を行う。位置３０５は、ユーザによってタッチされたタッチパネル１７０ａの位置に対応する表示部１２８の位置である。
【００５４】
Ｓ４２７において、システム制御部２５０は、タッチセンサ入力回路からの出力に基づいて、ユーザの指のタッチ位置座標、及び、タッチ位置の時間変化から、指のタップ操作、指の移動方向、及び、移動距離を検出する。こうして、システム制御部２５０は、タッチ操作の入力状態を取得する。
Ｓ４２８において、システム制御部２５０は、タッチセンサ入力回路からの出力に基づいて、タッチアップを検出したか否かを判定する。システム制御部２５０は、タッチアップを検出したとき処理をＳ４１２に進め、タッチアップを検出していないとき再度Ｓ４２６を実行する。
【００５５】
以上説明したように、表示部１２８の開閉状態に基づいて相対位置制御と相対位置制御とを切り替えることで、ユーザが接眼ファインダ１１６を覗いた状態におけるユーザのタッチ操作の操作性を向上させることができる。さらに、ユーザの意図しない設定がされる可能性を低減させることができる。
【００５６】
また、ユーザがデジタルカメラ１００を縦姿勢、及び、横姿勢のどちらの姿勢で保持しているかによってタッチ入力操作がしやすい領域は変わる。したがって、本実施形態で説明したように、デジタルカメラ１００の姿勢に基づいて相対位置制御と絶対位置制御とを切り替えることで、ユーザが接眼ファインダ１１６を覗いたユーザのタッチ操作の操作性を向上させることができる。
【００５７】
上述の実施形態では、表示部１２８が閉じている状態では表示部１２８はファインダ内表示部１７６のすぐ下に収納され、表示部１２８が開いた状態では表示部１２８は本体部１１０の左方向に位置する。しかし、表示部１２８が開いた状態では、表示部１２８は本体部１１０の下方向に位置してもよい。また、図１（ｂ）に示すように表示部１２８は、デジタルカメラ１００を背面から見たとき、デジタルカメラ１００の背面の右側に位置するＳＥＴボタン１７５等の操作部１７０とは反対側の左方向に開く。しかし、操作部１７０とＳＥＴボタン１７５等の操作部１７０との位置関係が逆の場合、表示部１２８は右側に開く構成としてもよい。
【００５８】
また、上述の実施形態では、絶対位置制御、及び、相対位置制御のいずれの場合も、ＡＦ枠は同一の表示として説明した。しかし、タッチ入力方法の制御が相対位置制御と絶対位置制御のどちらであるかをユーザが判別しやすいように、ＡＦ枠を、絶対位置制御、及び、相対位置制御で異なる表示としてもよい。例えば、ＡＦ枠の色の変更、実線・点線、大きさの変更、点滅・点灯表示等で表示を変更してもよい。また、システム制御部２５０は、ＡＦ枠の表示方法を変更する以外の方法で、相対位置制御、及び、絶対位置制御のいずれの制御を行っているかを判別できる情報を表示する制御を行ってもよい。
なお、上述した実施形態においては、デジタルカメラ１００の姿勢が縦姿勢の場合には相対位置制御を行うことを説明したが、絶対位置制御のままでもよい。また、以下のようにしてもよい。つまり、相対位置制御にしてタッチ有効領域を例えば、図３Ｃの場合は第１領域３０３にして、小さくしてもよい。縦姿勢の場合に絶対位置制御とする場合には、タッチ有効領域をタッチパネル１７０ａの全面でなく、一部の領域にするとよい。すなわち、例えば、図３Ｃの場合には第１領域３０３、図３Ｄの場合には第２領域３０４にしてもよい。
また、図３Ｃの第１領域３０３と図３Ｄの第２領域３０４は図示したものに限らず、例えば、例えばタッチパネル１７０ａのＸ軸Ｙ軸の共に中央付近の領域でもよいし、Ｙ軸方向の所定値以上の領域としてもよい。
【００５９】
また、上述の実施形態では、オートフォーカスを行うために使われるＡＦ枠を表示する制御について説明した。しかし、オートフォーカス以外に使われるターゲット枠の表示についても、本実施形態と同様に制御してもよい。例えば、ＡＥ（自動露出）、露出設定、ＩＳＯ感度設定等を行うために使われるターゲット枠の表示についても、本実施形態と同様に制御してもよい。
また、上述した実施形態では接眼ファインダ１１６を覗いている場合の表示部１２８の位置により、絶対位置制御（絶対座標設定）と相対位置制御（相対座標設定）とを変えるものとして説明をした。しかし、接眼ファインダ１１６を覗いていないときにも適用してもよい。すなわちタッチパッドのある装置からＨＤＭＩ（登録商標）や無線を用いて外部出力先に表示をしているような場合にも適用可能である。例えば、タッチパッドと他の操作部との位置関係を変更可能な場合において、他の操作部とタッチパッドの位置が近い場合には、相対位置制御をし、遠い場合には、絶対位置制御をしてもよい。また、ノートＰＣ等のタッチパッドを操作して画面上のカーソルや指標を操作する場合にも適用可能である。
【００６０】
なお、上述の各種実施形態では、ＡＦ処理を行う位置を移動する操作について説明をしたが、これに限らず様々な処理を行う位置（領域）を設定（選択）に適用可能である。例えば、特定の人物の顔に合焦する顔ＡＦ枠の選択や、拡大位置（ズームイン、ズームアウト）の選択等に適用可能である。さらに、ＡＥ（オートエクスポージャー、自動露出設定）、ＷＢ（ホワイトバランス）といった処理を行う際に、処理を行う際の基準となる被写体や位置や領域を選択する場合にも適用可能である。さらに、画像、アイテムを掴んで移動する際にも、適用可能である。
【００６１】
また、上述の実施形態では、システム制御部２５０は、タッチパネル１７０ａの全体をユーザがタッチ操作可能な領域にする制御を行う。しかし、システム制御部２５０は、デジタルカメラ１００の設定や状態等に基づいて、タッチパネル１７０ａにおけるユーザがタッチ操作可能な領域を変更する制御を行ってもよい。例えば、システム制御部２５０は、表示部１２８が閉じた状態のタッチパネル１７０ａのタッチ操作が可能な領域よりも、表示部１２８が開いた状態のタッチパネル１７０ａのタッチ操作が可能な領域の方を、広くするように制御してもよい。
【００６２】
なお、システム制御部２５０が行うものとして説明した上述の各種制御は、１つのハードウェアが行ってもよいし、複数のハードウェアが処理を分担することで、デジタルカメラ１００全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６３】
また、上述した実施形態においては、本発明をデジタルカメラに適用した場合を例にして説明したが、これはこの例に限定されずタッチパネルを備えた撮像装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、タブレット端末、スマートフォンに適用可能である。また、本発明は投影装置、ディスプレイを備える家電装置や車載装置等に適用可能である。
【００６４】
（その他の実施形態）
本発明は、上述の実施形態の１以上の機能を実現するプログラムを、ネットワーク又は記録媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６５】
１００  デジタルカメラ、１２８  表示部、１７０ａ  タッチパネル、１７６  ファインダ内表示部、２５０  システム制御部
【図１】
2018191221.tif 000003
【図２】
2018191221.tif 000004
【図３Ａ】
2018191221.tif 000005
【図３Ｂ】
2018191221.tif 000006
【図３Ｃ】
2018191221.tif 000007
【図３Ｄ】
2018191221.tif 000008
【図３Ｅ】
2018191221.tif 000009
【図４】
2018191221.tif 000010